(57)【要約】【課題】中継部材からのノズル部材の離脱を抑制できるトリガー式液体噴出器を提供する。【解決手段】噴出器本体２と、噴出器本体２から前方に突出した中継部材４と、中継部材４に対して前方から組み合わされ、液体を噴出する噴出孔６が形成されたノズル部材５と、を備え、噴出器本体２は、液体を噴出孔６側に向けて流動させる射出筒部１１と、トリガー部５１の後方への移動によって射出筒部１１内の液体を噴出孔６側に向けて流動させるトリガー機構Ｔと、を備え、中継部材４は、前後方向に延び、ノズル部材５が装着される装着筒部９２を備え、ノズル部材５は、装着筒部９２の外周面に嵌合する第１外嵌筒部１０１を備え、第１外嵌筒部１０１の後端１０１ａは、射出筒部１１の前端より後方に位置する、トリガー式液体噴出器。【選択図】図１
2020082040.tif 000002
【特許請求の範囲】
【請求項１】
液体が収容された容器体に装着される噴出器本体と、
前記噴出器本体から前方に突出した中継部材と、
前記中継部材に対して前方から組み合わされ、液体を噴出する噴出孔が形成されたノズル部材と、を備え、
前記噴出器本体は、
上下方向に延び、前記容器体内の液体を吸上げる縦供給筒部と、
前記縦供給筒部の前方に配設され、前記縦供給筒部内の液体を前記噴出孔側に向けて流動させる射出筒部と、
前記縦供給筒部の前方に前方付勢状態で後方に移動可能に配設されたトリガー部を有し、前記トリガー部の後方への移動によって、液体を前記縦供給筒部内から前記射出筒部内を通じて前記噴出孔側に向けて流動させるトリガー機構と、を備え、
前記中継部材は、前後方向に延び、前記ノズル部材が装着される装着筒部を備え、
前記ノズル部材は、前記装着筒部の外周面に嵌合する第１外嵌筒部を備え、
前記第１外嵌筒部の後端は、前記射出筒部の前端より後方に位置する、
トリガー式液体噴出器。
【請求項２】
前記中継部材は、
前記装着筒部の後端に位置し前後方向において前記射出筒部の前端と対向する隔壁と、
前記隔壁から後方に延び前記射出筒部の外周面に嵌合する第２外嵌筒部と、を備える、
請求項１に記載のトリガー式液体噴出器。
【請求項３】
前記中継部材は、
前記第２外嵌筒部の外周面に設けられる中継フランジ部と、
前後方向に延びて前記隔壁と前記中継フランジ部とを繋ぐ補強リブ部と、を有する、
請求項２に記載のトリガー式液体噴出器。
【請求項４】
前記トリガー部は、下側に向かうに従い前方に傾斜し、上端部の回転軸部を中心に後方に向けて揺動可能に配設される、
請求項１〜３の何れか一項に記載のトリガー式液体噴出器。
【発明の詳細な説明】
【技術分野】
【０００１】
本発明は、トリガー式液体噴出器に関する。
【背景技術】
【０００２】
従来から、下記特許文献１に記載のトリガー式液体噴出器が知られている。このトリガー式液体噴出器は、液体が収容された容器体に装着される噴出器本体と、噴出器本体から前方に突出した中継部材と、中継部材に対して前方から組み合わされ、液体を噴出する噴出孔が形成されたノズル部材と、を備える。また、このトリガー式液体噴出器において、中継部材は、ノズル部材の外嵌筒部に嵌合される装着筒部においてノズル部材を支持する。
【先行技術文献】
【特許文献】
【０００３】
【特許文献１】特開２０１８−１０８５５３号公報
【発明の概要】
【発明が解決しようとする課題】
【０００４】
従来構造において、装着筒部は、前後方向に延びて外嵌筒部に嵌合される。装着筒部の長さが長くなる場合には、外力が加わった際に装着筒部の変形により外嵌筒部が離脱する虞があった。
【０００５】
本発明は、前述した事情に鑑みてなされたものであって、中継部材からのノズル部材の離脱を抑制できるトリガー式液体噴出器を提供することを目的とする。
【課題を解決するための手段】
【０００６】
前記課題を解決するために、本発明は以下の手段を提案している。
本発明の一態様のトリガー式液体噴出器は、液体が収容された容器体に装着される噴出器本体と、前記噴出器本体から前方に突出した中継部材と、前記中継部材に対して前方から組み合わされ、液体を噴出する噴出孔が形成されたノズル部材と、を備え、前記噴出器本体は、上下方向に延び、前記容器体内の液体を吸上げる縦供給筒部と、前記縦供給筒部の前方に配設され、前記縦供給筒部内の液体を前記噴出孔側に向けて流動させる射出筒部と、前記縦供給筒部の前方に前方付勢状態で後方に移動可能に配設されたトリガー部を有し、前記トリガー部の後方への移動によって、液体を前記縦供給筒部内から前記射出筒部内を通じて前記噴出孔側に向けて流動させるトリガー機構と、を備え、前記中継部材は、前後方向に延び、前記ノズル部材が装着される装着筒部を備え、前記ノズル部材は、前記装着筒部の外周面に嵌合する第１外嵌筒部を備え、前記第１外嵌筒部の後端は、前記射出筒部の前端より後方に位置する。
【０００７】
上述の構成によれば、ノズル部材の第１外嵌筒部の後端が、噴出器本体の射出筒部の前端より後方に位置する。すなわち、第１外嵌筒部は、射出筒部に対し前後方向に重なった状態で、中継部材の装着筒部に嵌合される。したがって、中継部材の装着筒部は、射出筒部によって内側から支えられて変形が抑制される。結果的に、装着筒部に対する第１外嵌筒部の外力に対する嵌合強度が高まり、外力が加わった場合であってもノズル部材が中継部材から離脱することを抑制できる。
【０００８】
また、上述の構成によれば、ノズル部材が射出筒部の前端より後方まで延びるため、ノズル部材の前後方向の全長を大きくできる。すなわち、上述の構成によれば、ノズル部材を噴出器本体から前方に向けて大きく突出させて設けることができる。
一般的に、ノズル部材の前端は、トリガー部の前端より前方に配置される。これは、保管や流動過程でトリガー部に不意に外力が加わることを抑制し、噴出孔から液体が漏れ出ることを防ぐためである。一方で、トリガー部の前端をノズル部材の前端より後方に配置するという構成は、トリガー部の前後方向の引き代を大きくするという観点において制約となっていた。
上述の構成によれば、中継部材に対するノズル部材の離脱を抑制しつつノズル部材を噴出器本体から前方に突出させることが可能となる。これに伴い、従来と比較して、トリガー部の前端を前方に配置することができ、トリガー部の前後方向の引き代を大きく確保できる。結果的に、１度のトリガー部の操作によって噴出できる液体の量を増加させる構造を採用することができる。
【０００９】
本発明の一態様のトリガー式液体噴出器において、前記中継部材は、前記装着筒部の後端に位置し前後方向において前記射出筒部の前端と対向する隔壁と、前記隔壁から後方に延び前記射出筒部の外周面に嵌合する第２外嵌筒部と、を備える、構成であってもよい。
【００１０】
上述の構成によれば、第１外嵌筒部の後端が、中継部材の隔壁より後方に位置する。すなわち、第１外嵌筒部は、前後方向において隔壁と重なる。このため、隔壁によって、装着筒部を補強することができ、装着筒部と第１外嵌筒部との嵌合強度を高めることができる。
また、上述の構成によれば、従来構造と比較して、隔壁が前方側に設けられることで、成形時の装着筒部のヒケが抑制され、装着筒部の前端の寸法精度を高めることできる。結果的に、装着筒部と第１外嵌筒部との嵌合強度を高めることができる。
また、上述の構成によれば、従来構造と比較して、隔壁が前方側に設けられるため、隔壁の前方でノズル部材と中継部材との間に設けられる空間（後述する環状空間）の容量を小さくできる。この空間は、射出筒部と噴出孔とを繋ぐため、この空間の容量が大きくなると液体の圧力損失が大きくなる。上述の構成によれば、この空間の容量を小さくすることで、液体の流動経路における圧力損失を小さくすることができ、小さな操作力で液体を噴出孔から噴出できる。
また、上述の構成によれば、第２外嵌筒部が射出筒部の外周面に嵌合するため、中継部材が射出筒部に対してより確実に保持される。結果的に、射出筒部によって中継部材がより効果的に補強され、第１外嵌筒部と装着筒部との嵌合強度を高めることができる。
【００１１】
本発明の一態様のトリガー式液体噴出器において、前記中継部材は、前記第２外嵌筒部の外周面に設けられる中継フランジ部と、前後方向に延びて前記隔壁と前記中継フランジ部とを繋ぐ補強リブ部と、を有する、構成であってもよい。
【００１２】
上述の構成によれば、中継部材が補強リブ部および中継フランジ部によって補強される。これによって、装着筒部の変形が抑制され第１外嵌筒部との嵌合強度が高まる。
【００１３】
本発明の一態様のトリガー式液体噴出器において、前記トリガー部は、下側に向かうに従い前方に傾斜し、上端部の回転軸部を中心に後方に向けて揺動可能に配設される、構成であってもよい。
【００１４】
上述の構成によれば、トリガー部の操作が回転運動となる。このため、トリガー部の全長を長くすることでトリガー部の先端部を操作する場合にトリガー部の操作トルクを大きくすることができる。言い換えると、トリガー部の全長を長くすることで、トリガー部の先端部を操作する場合にトリガー部の操作力を小さくすることができる。
上述したように、本発明の一態様のトリガー式液体噴出器は、ノズル部材の前後方向の全長を大きくすることが可能であるため、従来と比較して、トリガー部の前端を前方に配置できる。すなわち、上述の構成によれば、トリガー部の全長を長くすることができ、トリガー部の先端部を操作することでトリガー部の操作力を小さくできる。
【発明の効果】
【００１５】
本発明によれば、ノズル部材が中継部材から離脱し難いトリガー式液体噴出器を提供できる。
【図面の簡単な説明】
【００１６】
【図１】一実施態様のトリガー式液体噴出器の縦断面図である。
【発明を実施するための形態】
【００１７】
以下、図１を参照し、この発明の実施の形態について説明する。
本実施形態のトリガー式液体噴出器１は、容器体Ａ内の液体を吸上げる縦供給筒部１０を有し、かつ液体が収容された容器体Ａに装着される噴出器本体２と、液体を噴出する噴出孔６が形成されたノズル部材５と、噴出器本体２とノズル部材５とを連結する中継部材４と、を備える。なお、トリガー式液体噴出器１の各構成部品は、特に記載がなければ合成樹脂を用いた成形品とされている。
【００１８】
以下、縦供給筒部１０の中心軸線Ｏ１に沿う方向を上下方向といい、上下方向に沿って容器体Ａ側を下側、その反対側を上側という。上下方向から見て、縦供給筒部１０に対してノズル部材５が位置している側を前側、その逆側を後側という。上下方向から見て、前後方向に直交する方向を左右方向という。
【００１９】
噴出器本体２は、上下方向に延びる縦供給筒部１０と、縦供給筒部１０の前方に配設され、縦供給筒部１０内の液体を噴出孔６側に向けて流動させる射出筒部１１と、縦供給筒部１０の前方に前方付勢状態で後方に移動可能に配設されたトリガー部５１を有するトリガー機構Ｔと、縦供給筒部１０、射出筒部１１および後述するシリンダ５３を上方、後方および左右方向から一体に覆うカバー体５５と、を備える。
【００２０】
縦供給筒部１０は、有頂筒状の外筒１２と、外筒１２内に嵌合された内筒１３と、を備える。
外筒１２は、大径部１２ａと、大径部１２ａの上方に配置され、かつ大径部１２ａより内径および外径が小さい小径部１２ｂと、大径部１２ａの上端部と小径部１２ｂの下端部とを連結するフランジ部１２ｃと、を備える。小径部１２ｂの上端開口は、頂壁部１２ｄに塞がれている。
内筒１３は、大径部１３ａと、大径部１３ａの上方に配置され、かつ大径部１３ａより内径および外径が小さい小径部１３ｂと、大径部１３ａの上端部と小径部１３ｂの下端部とを連結するフランジ部１３ｃと、を備える。
【００２１】
内筒１３の小径部１３ｂ内に、容器体Ａ内に配置され、かつ容器体Ａの図示しない底部に下端開口が位置するパイプ１５の上部が嵌合されている。内筒１３のフランジ部１３ｃは、外筒１２のフランジ部１２ｃよりも下方に位置している。内筒１３のフランジ部１３ｃと、外筒１２のフランジ部１２ｃと、の間に隙間Ｓ１が設けられている。
【００２２】
内筒１３の大径部１３ａにおいて、外筒１２の大径部１２ａから下方に突出した部分に、その径方向の外側に向けて突出する環状の鍔部１３ｄが形成されている。鍔部１３ｄは、容器体Ａの口部Ａ１に装着（例えば螺着）される装着キャップ３の上端部内に配設され、装着キャップ３の上端部をその軸線周りに回転可能に係止する。鍔部１３ｄは、装着キャップ３と容器体Ａの口部Ａ１における上端開口縁とにより上下方向に挟まれる。
外筒１２および内筒１３で構成される縦供給筒部１０の中心軸線Ｏ１は、容器体Ａの容器軸に対して後方に偏心している。
【００２３】
内筒１３の上端部内に、上下方向に弾性変形可能に形成された吐出弁３０が配設されている。
吐出弁３０は、内筒１３内に嵌合され、外筒１２における頂壁部１２ｄの下面に当接するベース部３１と、ベース部３１の下方に配置され、内筒１３の内周面に段差状に形成された弁座３２に対して上方から当接する弁体３３と、ベース部３１および弁体３３を上下に連結する中空ばね部３４と、を備える。
【００２４】
弁体３３は、中空ばね部３４によって上方から押圧されており、弁座３２に対して密に当接している。弁体３３は、内筒１３内において、弁座３２よりも上方に位置する空間と、弁座３２よりも下方に位置する空間と、の連通を遮断する。弁体３３は、中空ばね部３４の付勢力に抗して上昇し、弁座３２から離間することで、内筒１３内において、弁座３２よりも上方に位置する空間と、弁座３２よりも下方に位置する空間と、を連通する。
【００２５】
内筒１３の内周面のうち、弁座３２よりも下方に位置し、かつパイプ１５の上端よりも上方に位置する部分に、内側に向けて突出する環状のテーパ筒部３５が形成されている。テーパ筒部３５は、下方に向かうに従って漸次、縮径している。テーパ筒部３５の内側に、テーパ筒部３５の内周面に離反可能に着座するボール弁３６が配置されている。
ボール弁３６は、内筒１３内において、テーパ筒部３５よりも上方に位置する空間と、テーパ筒部３５よりも下方に位置する空間と、の連通を遮断する。ボール弁３６は、上昇してテーパ筒部３５の内周面から離間することで、内筒１３内において、テーパ筒部３５よりも上方に位置する空間と、テーパ筒部３５よりも下方に位置する空間と、を連通する。
【００２６】
射出筒部１１は、中心軸線Ｏ４を中心として前後方向に延びる。射出筒部１１は、後端部が縦供給筒部１０における上端部の前側に接続されている。射出筒部１１の内部は、外筒１２に形成された外側吐出孔１６、および内筒１３に形成された内側吐出孔１７を通じて縦供給筒部１０の内部に連通している。内側吐出孔１７は、内筒１３内において、弁座３２よりも上方に位置する空間に開口している。
外筒１２において、射出筒部１１よりも下方に位置する部分に、前方に向けて突出するシリンダ装着筒４０が形成されている。シリンダ装着筒４０は、前方に向けて開口している。シリンダ装着筒４０の下端部は、外筒１２におけるフランジ部１２ｃと一体に形成されている。
【００２７】
トリガー機構Ｔは、トリガー部５１の後方への移動によって、液体を縦供給筒部１０内から射出筒部１１内を通じて噴出孔６側に向けて流動させる。トリガー機構Ｔは、縦供給筒部１０の前方に前方付勢状態で後方に移動可能に配設されたトリガー部５１と、トリガー部５１に連動して前後方向に移動するピストン５２と、ピストン５２が挿入され、かつ内部が縦供給筒部１０内に連通したシリンダ５３と、を備える。
【００２８】
シリンダ５３は、シリンダ装着筒４０内に嵌合され、かつ前方に向けて開口した外筒部６０と、外筒部６０の後端開口を塞ぐ後壁部６１と、後壁部６１の中央部から前方に向けて突出するとともに前端が閉塞された有頂筒状のピストンガイド６２と、を備える。
外筒部６０、ピストンガイド６２、およびシリンダ装着筒４０は、前後方向に延びるシリンダ軸Ｏ２と同軸に配置されている。
【００２９】
ピストンガイド６２は内側が後方に開口しており、この開口内に、シリンダ装着筒４０の後壁（外筒１２の小径部１２ｂ）から前方に向けて突出した突部が嵌合されている。
外筒部６０の外周面とシリンダ装着筒４０の内周面とは、前後方向の両端部において密接している。外筒部６０の外周面とシリンダ装着筒４０の内周面との間のうち、前後方向の両端部同士の間に位置する中間部に、環状の隙間Ｓ２が設けられている。
【００３０】
外筒部６０に、外筒部６０の内側と前記隙間Ｓ２とを連通する第１通気孔６３が形成されている。外筒１２のフランジ部１２ｃに、前記隙間Ｓ２と、外筒１２のフランジ部１２ｃと内筒１３のフランジ部１３ｃとの間の隙間Ｓ１と、を連通する第２通気孔６４が形成されている。内筒１３のフランジ部１３ｃに、前記隙間Ｓ１と、内筒１３の大径部１３ａおよび装着キャップ３の内側と、を連通する第３通気孔６５が形成されている。
【００３１】
シリンダ５３の後壁部６１に、後方に向けて突出し、前後方向に開口する筒部６６が形成されている。筒部６６は、後壁部６１において、ピストンガイド６２より上方に位置する部分に形成されている。筒部６６は、シリンダ装着筒４０の後壁（外筒１２の小径部１２ｂ）に形成された貫通孔に嵌合されている。
ここで、内筒１３の小径部１３ｂに、筒部６６内に連通する第２貫通孔６７が形成されている。第２貫通孔６７は、内筒１３内において、弁座３２よりも下方に位置し、かつテーパ筒部３５よりも上方に位置する空間に開口している。
【００３２】
以上より、シリンダ５３内と縦供給筒部１０内とが、筒部６６の内側、および第２貫通孔６７を通して連通している。また、吐出弁３０は、射出筒部１１内とシリンダ５３内との連通およびその遮断を切換え、ボール弁３６は、容器体Ａ内とシリンダ５３内との連通およびその遮断を切換える。
【００３３】
シリンダ５３の上端部に、上方に向けて突出し、かつ後方に向けて延びる装着突部５３ａが配設されている。装着突部５３ａと外筒部６０の外周面との間に隙間が設けられている。装着突部５３ａは、表裏面が上下方向を向く板状に形成されている。装着突部５３ａにおける左右方向の中央部に、後方に向けて開口し、かつ上下方向に貫き、前後方向に延びる細孔が形成されている。この細孔には、シリンダ装着筒４０の上端部と、射出筒部１１の後部における下端部と、を連結し、かつ表裏面が左右方向を向く差込板１１５が差し込まれている。
【００３４】
ピストン５２は、トリガー部５１に連結された円柱状の連結部７０と、連結部７０より後方に位置し、連結部７０よりも大径とされたピストン筒７１と、を備え、全体として後方に開口した筒状に形成されている。ピストン５２は、シリンダ軸Ｏ２と同軸に配置されている。
【００３５】
ピストン筒７１は、後方に向けて開口し、かつ内部にピストンガイド６２が挿入されるピストン本体部７２と、ピストン本体部７２の後端部からその径方向の外側に向けて突出し、かつ外筒部６０の内周面に密に摺接する摺動筒部７３と、を備える。
ピストン本体部７２の内径は、ピストンガイド６２の外径より大きい。ピストン本体部７２の内周面とピストンガイド６２の外周面との間に隙間が設けられている。
摺動筒部７３は、前後方向の中央部から前方および後方に向かうに従って漸次、拡径しており、前後方向の両端部に位置するリップ部が外筒部６０の内周面に対して摺動する。
【００３６】
ピストン５２の連結部７０は、後述する連結軸８６を介してトリガー部５１に連結されている。これにより、ピストン５２は、トリガー部５１とともに後述する弾性板部５４により前方に付勢され、かつトリガー部５１の後方への移動に伴って後方に移動してシリンダ５３内に押し込まれる。
【００３７】
トリガー部５１が最前方移動位置に位置しているときに、ピストン５２の摺動筒部７３は第１通気孔６３を閉塞している。そして、トリガー部５１の後方への移動によってピストン５２が所定量だけ後方移動したときに、摺動筒部７３が第１通気孔６３を開放する。これにより、容器体Ａの内部は、第３通気孔６５、前記隙間Ｓ１、第２通気孔６４、前記隙間Ｓ２および第１通気孔６３を通じて外部に連通する。
【００３８】
トリガー部５１は、下側に向かうに従い前方に傾斜する。トリガー部５１は、左右方向から見た側面視で後方に向けて凹状に湾曲する前面を有する主板部８０と、主板部８０の左右方向の両端部から後方に向けて突出する一対の側板部８１と、を備える。
【００３９】
一対の側板部８１の上端部には、上方に延び、射出筒部１１を左右方向に挟み込む一対の連結板８２が形成されている。一対の連結板８２には、左右方向の外側に向けて突出する回転軸部８３が各別に設けられている。回転軸部８３は、トリガー部５１の上端部に位置する。回転軸部８３は、射出筒部１１の上方を覆う上板部材８４に設けられた軸受け部に回動可能に支持されている。これにより、トリガー部５１は、上端部の回転軸部８３を中心に後方に向けて揺動可能に配設される。
【００４０】
主板部８０の上端部に、後方に向けて延びる連結筒８５が形成されている。連結筒８５の内周面の後部に、連結筒８５の内側に向けて左右方向に突出した一対の連結軸８６が形成されている。連結軸８６は、ピストン５２の連結部７０に形成された連結孔内に挿入されている。これにより、トリガー部５１とピストン５２とが、互いに連結されている。
ピストン５２の連結部７０は、連結軸８６に対してその軸線周りに回動可能とされ、かつ上下方向に所定量だけ移動可能に連結されている。
【００４１】
射出筒部１１の上面には、縦供給筒部１０における外筒１２の頂壁部１２ｄに連結された水平板状の前記上板部材８４が取付けられている。
上板部材８４における左右方向の両端部に、左右方向から見た側面視で前方に突の円弧状を呈し、射出筒部１１の下方まで延びる弾性板部５４が形成されている。弾性板部５４は、左右方向から見た側面視で同心の円弧状を呈し、前後に並ぶ一対の板ばねを備える。
【００４２】
一対の板ばねの各下端部は、左右方向から見た側面視で下方に向けて突の円弧状を呈する折返し部を介して接続されている。折返し部に、下方に向けて突出する係止片５４ｄが形成されており、この係止片５４ｄがトリガー部５１の側板部８１に形成されたポケット部（図示略）に上方から差し込まれている。
これにより、弾性板部５４は、係止片５４ｄおよびポケット部を介してトリガー部５１を前方に付勢している。
【００４３】
トリガー部５１の主板部８０の上端部は、弾性板部５４による付勢によって後述する中継部材４の中継フランジ部９８の下端部に対して後方から当接している。これにより、トリガー部５１は最前方移動位置に位置決めされている。
トリガー部５１が後方に引かれて最前方移動位置から移動すると、係止片５４ｄが後方に移動し、弾性板部５４が弾性変形する。
【００４４】
中継部材４は、噴出器本体２に対して前方から組み合わされている。中継部材４は、射出筒部１１に対して前方から組み合わされ、噴出器本体２から前方に突出している。
【００４５】
中継部材４は、射出筒部１１の前端開口を前方から覆う隔壁９０と、隔壁９０から後方に延びる第２外嵌筒部９１と、第２外嵌筒部９１の外周面に設けられる中継フランジ部９８と、隔壁９０から前方に延びる装着筒部９２と、装着筒部９２の内側において隔壁９０から前方に延びるガイド軸部９４と、補強リブ部９９と、を備える。
【００４６】
隔壁９０は、前後方向と直交する方向に沿って延びる板状である。隔壁９０は、前後方向において射出筒部１１の前端と対向する。隔壁９０は、装着筒部９２の後端に位置する。隔壁９０には、前後方向に貫通する連通孔９５が設けられる。連通孔９５は、ガイド軸部９４の上方に位置する。連通孔９５は、前後方向から見て装着筒部９２の内側に配置される。ガイド軸部９４と装着筒部９２との間には、環状空間９６が画成される。環状空間９６は、連通孔９５を通じて射出筒部１１内に連通している。
【００４７】
第２外嵌筒部９１は、中心軸線Ｏ４を中心とする筒状である。すなわち、第２外嵌筒部９１は、射出筒部１１の中心軸線Ｏ４と同軸上に配置される。第２外嵌筒部９１は、射出筒部１１の外周面に嵌合する。
【００４８】
中継フランジ部９８は、第２外嵌筒部９１の前後方向の中間部に設けられる。中継フランジ部９８は、第２外嵌筒部９１の外周面から中心軸線Ｏ４の径方向外側に向かって延びる。中継フランジ部９８の前後方向の位置は、カバー体５５の前端縁の前後方向の位置と略同等である。
【００４９】
装着筒部９２は、前後方向に延びる中心軸線Ｏ３を中心とする筒状である。装着筒部９２には、ノズル部材５が装着される。中心軸線Ｏ３は、射出筒部１１および第２外嵌筒部９１の中心軸線Ｏ４より下方に位置している。すなわち、装着筒部９２は、射出筒部１１および第２外嵌筒部９１に対して下方に偏心して配置される。
なお、本明細書において、前後方向から見た正面視で中心軸線Ｏ３に直交する方向をノズル径方向といい、中心軸線Ｏ３周りに沿う方向をノズル周方向という。
【００５０】
ガイド軸部９４は、隔壁９０のうち装着筒部９２の内側に位置する部分から前方に向けて延びる。ガイド軸部９４は装着筒部９２と同軸上に配置される。すなわち、ガイド軸部９４は、前後方向に延びる中心軸線Ｏ３を中心とする。ガイド軸部９４は、前端部が閉塞され、且つ後方に開口した有頂円筒状に形成されている。ただし、ガイド軸部９４の形状はこの場合に限定されるものではなく、例えば中実の円柱状に形成してもよい。ガイド軸部９４は装着筒部９２よりも前方に突出することなく、装着筒部９２の内側に収まるように形成されている。
【００５１】
ガイド軸部９４における前端部側の外周面には、前後方向に沿って直線状に延びるとともに前方に向けて開口する第１切換溝９７が形成されている。本実施形態において、第１切換溝９７は、ノズル周方向に等間隔をあけて２つ形成されている。
【００５２】
ガイド軸部９４の前端面には、ノズル周方向に液体を内部で旋回させる凹状のスピン室１１０と、スピン室１１０と第１切換溝９７とを繋ぐスピン溝１１１が設けられる。スピン室１１０は、噴出孔６に連通する。スピン室１１０は、後方に向かって窪むように形成される。スピン室１１０は、前後方向から見た正面視で円形状に形成されている。スピン溝１１１は、例えばスピン室１１０における内周壁の接線方向に延びるように形成される。スピン溝１１１は、第１切換溝９７から供給された液体をスピン室１１０内に送り込む。これにより、スピン室１１０内でノズル周方向に旋回するようなスピンを液体に作用させることができ、スピンのかかった液体を噴出孔６に導くことができる。
【００５３】
補強リブ部９９は、前後方向において隔壁９０と中継フランジ部９８との間に位置し前後方向に延びて隔壁９０と中継フランジ部９８とを繋ぐ。補強リブ部９９は、左右方向と直交する板状の第１リブ９９ａと、上下方向と直交する板状の第２リブ９９ｂとを有する。第１リブ９９ａは、第２外嵌筒部９１の外周面から中心軸線Ｏ４の径方向外側に延び。第１リブ９９ａおよび第２リブ９９ｂは、前後方向から見て十字状に交差する。第１リブ９９ａおよび第２リブ９９ｂは、隔壁９０と中継フランジ部９８とを互いにつなぐ。これにより、補強リブ部９９は、隔壁９０、中継フランジ部９８、装着筒部９２および第２外嵌筒部９１を補強する。
【００５４】
ノズル部材５は、装着筒部９２を介して中継部材４に装着されることで、中継部材４に対して前方から一体に組み合わされている。本実施形態では、ノズル部材５は中継部材４に対して中心軸線Ｏ３周りに沿う上記ノズル周方向に回転可能に組み合わされている。
【００５５】
ノズル部材５は、中継部材４に対し中心軸線Ｏ３周りに回転して噴出可能位置または噴出規制位置に位置合わせされる。使用者がノズル部材５を噴出可能位置に位置させることで、トリガー式液体噴出器１は液体の噴出が可能となる噴出可能状態となる。また、使用者がノズル部材５を噴出規制位置に位置させることで、トリガー式液体噴出器１は液体の噴出が規制される噴出規制状態となる。
【００５６】
ノズル部材５は、前後方向と直交する板状のノズル壁部１００と、中心軸線Ｏ３周りに設けられる筒状の外郭筒部１０４、第１外嵌筒部１０１およびノズル筒部１０２と、を有する。
【００５７】
ノズル壁部１００は、ガイド軸部９４の前端面に対して対向配置される。ノズル壁部１００は、ガイド軸部９４の前端面に位置するスピン室１１０およびスピン溝１１１を覆う。ノズル壁部１００には、中心軸線Ｏ３を中心として前後方向に貫通する噴出孔６が設けられる。噴出孔６は、スピン室１１０の一部を前方に露出させる。
【００５８】
外郭筒部１０４は、ノズル壁部１００に対して前方および後方に向かって延びる筒状である。外郭筒部１０４は、第１外嵌筒部１０１およびノズル筒部１０２を中心軸線Ｏ３の径方向外側から囲む。これにより、外郭筒部１０４は、第１外嵌筒部１０１およびノズル筒部１０２を保護する。
【００５９】
第１外嵌筒部１０１は、ノズル壁部１００から後方に向かって延びる。第１外嵌筒部１０１は、中心軸線Ｏ３の径方向において外郭筒部１０４とノズル筒部１０２との間に配置される。
【００６０】
第１外嵌筒部１０１は、装着筒部９２の外周面に中心軸線Ｏ３周りに回転可能に嵌合する。第１外嵌筒部１０１の内周面および装着筒部９２の外周面には、ノズル周方向に延びて互いに係合する突起が設けられる。
【００６１】
第１外嵌筒部１０１の前後方向の全長は、装着筒部９２の前後方向の全長より大きい。このため、第１外嵌筒部１０１の後端１０１ａは、中継部材４の隔壁９０より後方まで延びる。第１外嵌筒部１０１の後端１０１ａの前後方向の位置は、中継部材４の第２外嵌筒部９１および第２外嵌筒部９１と嵌合する射出筒部１１の前後方向位置と重なる。すなわち、第１外嵌筒部１０１の後端１０１ａは、射出筒部１１の前端より後方に位置する。
【００６２】
ノズル筒部１０２は、第１外嵌筒部１０１の内側においてノズル壁部１００から後方に向かって延びる。ノズル筒部１０２の内周面は、中継部材４のガイド軸部９４の外周面に対し中心軸線Ｏ３周りに回転可能かつ密に接触している。ノズル筒部１０２の後端は、ガイド軸部９４の外周面に形成された第１切換溝９７よりも後方に位置する。ノズル筒部１０２の後端は、前後方向において隔壁９０と隙間をあけて対向する。
【００６３】
ノズル筒部１０２の内周面には、前後方向に直線状に延びるとともに、後方に開口する第２切換溝１０３が形成されている。本実施形態において、第２切換溝１０３はノズル周方向に等間隔をあけて２つ形成されている。第２切換溝１０３は、常に環状空間９６と連通する。また、第２切換溝１０３は、ノズル部材５が噴出可能位置に位置する状態で第１切換溝９７に対して連通する。一方で、第２切換溝１０３は、ノズル部材５が噴出規制位置に位置する状態で第１切換溝９７との連通が遮断される。
【００６４】
本実施形態において、ノズル部材５は、第１外嵌筒部１０１とノズル筒部１０２との間に位置するとともにノズル壁部１００から後方に向けて延び、装着筒部９２の内側に中心軸線Ｏ３周りに回転可能に嵌合するシール筒部１０５をさらに備えている。シール筒部１０５の外周面は、装着筒部９２の内周面に密着する。これにより、シール筒部１０５と装着筒部９２との間に液体が侵入することが抑制され、環状空間９６内の液体が外部に漏洩することを抑制することができる。また、シール筒部１０５と第１外嵌筒部１０１とは、径方向において装着筒部９２を挟み込む。これにより、装着筒部９２に対して第１外嵌筒部１０１をより安定した状態で嵌合させることができる。
【００６５】
本実施形態に係るトリガー式液体噴出器１によれば、ノズル部材５の第１外嵌筒部１０１の後端１０１ａが、射出筒部１１の前端より後方に位置する。すなわち、第１外嵌筒部１０１は、射出筒部１１に対し前後方向に重なった状態で、中継部材４の装着筒部９２に嵌合される。したがって、装着筒部９２は、射出筒部１１によって内側から支えられ変形が抑制される。結果的に、装着筒部９２に対する第１外嵌筒部１０１の外力に対する嵌合強度が高まる。装着筒部９２と第１外嵌筒部１０１との嵌合強度が高まることで、外力が加わった場合であってもノズル部材５が中継部材４から離脱することを抑制できる。
【００６６】
本実施形態に係るトリガー式液体噴出器１によれば、ノズル部材５が射出筒部１１の前端より後方まで延びるため、ノズル部材５の前後方向の全長を大きくできる。すなわち、本実施形態によれば、ノズル部材５を噴出器本体２から前方に向けて大きく突出させて設けることができる。
一般的に、ノズル部材５の前端は、トリガー部５１の前端より前方に配置される。これは、保管や流動過程でトリガー部５１に不意に外力が加わることを抑制し、噴出孔６から液体が漏れ出ることを防ぐためである。一方で、トリガー部５１の前端をノズル部材５の前端より後方に配置するという構成は、トリガー部５１の前後方向の引き代を大きくするという観点において制約となっていた。
本実施形態によれば、中継部材４に対するノズル部材５の離脱を抑制しつつ、従来構造と比較してノズル部材５を噴出器本体２から前方に突出させることが可能となる。これに伴い、従来と比較して、トリガー部５１の前端を前方に配置することができ、トリガー部５１の前後方向の引き代を大きく確保できる。結果的に、ピストン５２のストロークを大きく確保する構造を採用することが可能となり、このような構造を採用した場合において、１度のトリガー部５１の操作によって噴出できる液体の量を増加させることができる。
また、本実施形態のトリガー部５１は、下側に向かうに従い前方に傾斜し、上端部の回転軸部８３を中心に後方に向けて揺動可能に配設される。本実施形態によれば、従来と比較して、トリガー部５１の前端を前方に配置することができるため、従来比較して、トリガー部５１の全長を長くすることができる。これにより、トリガー部５１の先端部を操作する場合にトリガー部５１の操作力を小さくすることができる。
【００６７】
本実施形態に係るトリガー式液体噴出器１によれば、第１外嵌筒部１０１の後端１０１ａが、中継部材４の隔壁９０より後方に位置する。すなわち、第１外嵌筒部１０１は、前後方向において隔壁９０と重なる。このため、隔壁９０によって、装着筒部９２が補強され、装着筒部９２と第１外嵌筒部１０１との嵌合強度を高めることができる。
【００６８】
また、本実施形態によれば、第２外嵌筒部９１が射出筒部１１の外周面に嵌合する。このため、中継部材４が射出筒部１１に対してより確実に保持され、結果的に、射出筒部１１によって中継部材４がより効果的に補強され、装着筒部９２と第１外嵌筒部１０１との嵌合強度を高めることができる。
【００６９】
従来構造の中継部材では、隔壁の前後方向位置は、中継フランジ部の前後方向位置と一致していた。これに対し、本実施形態の中継部材４において、隔壁９０は、中継フランジ部９８より前方に配置される。隔壁９０が前方に設けられることで、装着筒部９２の全長を短くすることができる。これにより、成形時の装着筒部９２のヒケが抑制され、装着筒部９２の前端の寸法精度を高めることできる。結果的に、装着筒部９２と第１外嵌筒部１０１との嵌合強度を高めることができる。
【００７０】
また、本実施形態によれば、従来構造と比較して、隔壁９０がより前方側に設けられるため、隔壁９０の前方に設けられる環状空間９６の容量を小さくできる。環状空間９６は、射出筒部１１と噴出孔６とを繋ぐ液体の流動経路である。このため、環状空間９６の容量が大きくなると液体の圧力損失が大きくなる。上述の構成によれば、環状空間９６の容量を小さくすることで、液体の圧力損失を小さくすることができ、小さな操作力で液体を噴出孔６から噴出できる。
なお、隔壁を前方に設けることに伴い、従来構造と比較して、射出筒部１１の全長が大きくなり、射出筒部１１内を通過する液体の圧力損失が大きくなる。しかしながら、射出筒部１１は一方向に延びる管路であるため、全長が大きくなることに伴う圧力損失の増加は、環状空間９６の容量の減少に伴う圧力損失の減少と比較して十分に小さい。このため、上述のように、液体の流動経路全体における圧力損失低減の効果を得ることができる。
【００７１】
本実施形態の中継部材４には、隔壁９０と中継フランジ部９８とを繋ぐ補強リブ部９９が設けられる。すなわち、中継部材４は、補強リブ部９９によって補強され装着筒部９２の変形が抑制される。結果的に、装着筒部９２と第１外嵌筒部１０１との嵌合強度を高めることができる。
【００７２】
（トリガー式液体噴出器の作用）
次に、上述のように構成されたトリガー式液体噴出器１を使用する場合について説明する。なお、トリガー部５１の複数回の操作によって、トリガー式液体噴出器１の各部内に液体が充填され、縦供給筒部１０から液体を吸い上げることができる状態になっているものとする。また、ノズル部材５が噴出可能位置に位置決めされているものとする。
【００７３】
トリガー部５１を弾性板部５４の付勢力に抗して後方に引くと、トリガー部５１の後方移動に伴ってピストン５２が後退する。これに伴い、シリンダ５３内の液体は、筒部６６および第２貫通孔６７を通じて縦供給筒部１０の内筒１３に導入される。内筒１３に導入された液体は、ボール弁３６を押し下げて閉弁させるとともに、吐出弁３０を押し上げて開弁させ、内側吐出孔１７および外側吐出孔１６を通じて射出筒部１１内に加圧された状態で供給される。
【００７４】
射出筒部１１内に供給された液体は、連通孔９５、環状空間９６、第２切換溝１０３および第１切換溝９７を通じてスピン溝１１１およびスピン室１１０を介して噴出孔６に供給され前方に向けて噴出される。液体は、スピン室１１０内で中心軸線Ｏ３周りに旋回した状態で噴出孔６から噴出されるため、噴出孔６から霧状に噴出される。
【００７５】
なお、液体の噴出後、トリガー部５１を解放すると、弾性板部５４の弾性復元力によってトリガー部５１が前方に付勢されて元の位置に復帰する。これに伴ってピストン５２が前方移動するため、シリンダ５３内に負圧が生じる。この負圧によって、吐出弁３０が閉弁するとともにボール弁３６が押し上げられて開弁し、パイプ１５を通じて容器体Ａ内の液体が縦供給筒部１０に吸い上げられてシリンダ５３内に導入される。これにより、次の噴出に備えることができる。
【００７６】
なお、本発明の技術範囲は、上記実施形態に限定されるものではなく、本発明の趣旨を逸脱しない範囲において、種々の変更を加えることが可能である。
【符号の説明】
【００７７】
１      トリガー式液体噴出器
２      噴出器本体
４      中継部材
５      ノズル部材
６      噴出孔
１０    縦供給筒部
１１    射出筒部
５１    トリガー部
８３    回転軸部
９０    隔壁
９１    第２外嵌筒部
９２    装着筒部
９８    中継フランジ部
９９    補強リブ部
１０１  第１外嵌筒部
Ａ      容器体
Ｔ      トリガー機構
【図１】
2020082040.tif 000003